(57)【要約】【課題】  複数のキーを保持する二つ折り型又は三つ折り型キーケースやカードキー用キーケースに適用される低コストの施錠確認支援装置を提供すること。【解決手段】  施錠確認支援装置は、キー保持部２ａと内蓋部２ｂと外蓋部２ｃからなる三つ折り型キーケース２と、キーケース２に装着された施錠確認支援用電子装置１とで構成されている。施錠確認支援用電子装置１は、保護蓋３ａがヒンジにより取付けられた専用のプラスチック製カード型ケース３に、時刻設定ボタン１５、機能ボタン１６、液晶表示器１７、ブザー１８、及び施錠確認時刻を確認するための確認ボタン５を有する電子時計１０と、キーケース開閉センサ４が組み付けられて構成されたものである。【選択図】  図２
2007002623.tif 000002
【特許請求の範囲】
【請求項１】
二つ折り型や三つ折り型キーケースと前記キーケースに配置された施錠確認支援用電子装置とで構成された施錠確認支援装置であって、前記施錠確認支援用電子装置は前記キーケースの開閉を検出して開信号と閉信号をそれぞれ発生させるキーケース開閉センサと、前記閉信号が発生したときにその時刻を確認時刻としてデータ記憶部に記憶し且つ確認信号が入力されたときには前記データ記憶部に記憶されている確認時刻を読み出して表示器に表示させる電子時計と、これら構成部品を収納し且つ前記キーケースに固定される専用のプラスチック製カード型ケースとで構成されていることを特徴とする施錠確認支援装置。
【請求項２】
前記確認信号は、前記電子時計に備えられた確認ボタンの操作により発生する信号であることを特徴とする請求項１に記載の施錠確認支援装置。
【請求項３】
前記電子時計は電子アラームを備えたものであって、設定された予定施錠時刻から余裕時間を経過した時に前記電子アラームを作動させるものであることを特徴とする請求項１に記載の施錠確認支援装置。
【請求項４】
前記予定施錠時刻の設定は設定ボタンにより設定されることを特徴とする請求項３に記載の施錠確認支援装置。
【請求項５】
前記予定施錠時刻の設定は、データ記憶部に記憶されている施錠確認時刻を利用して演算を行い自動的に設定されることを特徴とする請求項３に記載の施錠確認支援装置。
【発明の詳細な説明】
【技術分野】
【０００１】
本発明は、二つ折り型又は三つ折り型キーケースに備えられて利用者の施錠確認を支援する施錠確認支援装置に関する。
【背景技術】
【０００２】
第１の従来の施錠確認支援装置としては、特許文献１と特許文献２に開示されたものがある。この第１の従来の施錠確認支援装置は、非特許文献１に開示されている通り、楽キーケースの商品名で唯一実用化されている。この実用化商品は、キーケースにキー出し入れセンサと電子時計と確認ボタンを備えて構成されている。前記電子時計は計時部、記憶部、制御部及び表示器とで構成されたものであり、前記キー出し入れセンサのキー戻し信号が発生すると前記制御部は現在時刻を施錠確認時刻として前記記憶部に記憶する。そして、前記確認ボタンが操作されたときには、前記制御部は前記記憶部に記憶されている施錠確認時刻を読み出して前記表示器に表示する。表示された施錠確認時刻を見て、利用者は施錠した時刻を知ることが出来るので、施錠し忘れを防止できる。
【０００３】
しかしながら上述の実用化商品や特許文献１に開示の施錠確認支援装置は、キーケースに収納できるキーが１個だけであること、収納できるキーの形状やサイズに制限があることから、利用し難いという問題がある。更に、上記の第１の従来の施錠確認支援装置は、これに採用されているキー出し入れセンサが特許文献２に開示されている如く非常に複雑であるため、製造コストが高いという問題がある。
【０００４】
特許文献２には、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成された施錠確認支援装置が開示されている。そして、前記押え部材を回転軸に対して直角に形成された凹部とその左右に形成された一対の翼状押え部とを有する合成樹脂製カム状押え部材とし、前記壁面の方向にバネによって付勢されるようにして前記キー収納室の出入口近くに回転可能に配置されている。このように、第１の従来の施錠確認支援装置は、キー出し入れセンサの構造が複雑であり、組立ても容易ではないのである。
【０００５】
更に、第１の従来の施錠確認支援装置は、キーとキー出し入れセンサを収納するプラスチック製キーケースが特殊な構造であるので、自動車用キーの如きキーヘッドの大きいキーを収納できないという問題がある。このため、サイズや外観を変えた多種類のデザインのプラスチック製キーケースを製造することが要求されているが、デザインを変更するたびに金型を製造しなければならないので、メーカーの経済的負担が大きく、これは実現困難な状況にある。
【０００６】
そこで、特許文献３に開示されている通り、自動車用キーも保持でき、複数のキーを保持できるキーケースに適用された施錠確認支援装置が提案された。この第２の従来の施錠確認支援装置は、第１板状部材と第２板状部材を有する定期券入れ型の二つ折りキーケースに適用されたものであって、夫々の一端を回転可能にしてキーケースの第２板状部材に取付けられた複数の金属製アーム型キー留め具と、制御部と記憶部と表示器を具備し前記キーケースの第１板状部材に取付けられた電子装置と、前記キーケースの第２板状部材に取付けられて前記金属製アーム型キー留め具の回転を検出してキー出し入れ信号を発生する複数のキー出し入れセンサとで構成され、前記制御部は前記キー出し入れ信号が発生したときにその時刻を施錠確認時刻として前記記憶部に記憶させ、確認信号が入力されたときに前記記憶部から施錠確認信号を読み出して前記表示器に表示させるものである。
【０００７】
この第２の従来の施錠確認支援装置によれば、複数のキーの夫々の施錠確認時刻が記憶され、確認ボタンの操作で当該キーの施錠確認時刻が表示されるものであるから、正しく複数のキーを保持するキーケースの施錠確認支援装置として機能している。しかしながら、この従来の施錠確認支援装置は、キー出し入れセンサが特殊な構造であるために、製造コストが高くなり、未だに実用化されていない。
【０００８】
更に、上述の第１と第２の従来の施錠確認支援装置に共通な問題点は、カードキーを保持するキーケースに適用できないことである。
【０００９】
ところで、上述の２つの従来の施錠確認支援装置は、利用者が施錠したかどうか不安になったときに確認ボタンを押すという確認行為によって施錠確認時刻を簡単且つ確実に知ることができるものである。しかしながら、利用者が施錠をしなかったにも関わらず不安を感じなかった場合には、上述の２つの従来の施錠確認支援装置は残念ながら利用者の役に立たないのである。従って、このような場合に施錠を自動的に思い出させてくれる機能が、施錠確認支援装置に要求されている。
【特許文献１】特許第３３１２９００号公報
【特許文献２】特開２００４−３３２４８１号公報
【特許文献３】特開２００４−１２４６１０号公報
【非特許文献１】日経流通新聞  ２００３年８月５日  「鍵を使った時刻分かる」
【発明の開示】
【発明が解決しようとする課題】
【００１０】
本発明が解決しようとする第１の課題は、複数のキーを保持するキーケースやカードキー用キーケースにも適用できる低コストの施錠確認支援装置を提供することである。
本発明が解決しようとする第２の課題は、施錠し忘れアラームを発生させる機能を備えた施錠確認支援装置を提供することである。
【課題を解決するための手段】
【００１１】
上記第１の課題を解決するために、二つ折り型や三つ折り型キーケースに複数のキーを保持して携帯している人の施錠行為を分析した結果、殆どの人にとって施錠確認をしなければならないのは特定のキー、例えば自宅の玄関キーや自動車キーであることが分かった。この事実に基づいて、二つ折り型や三つ折り型キーケースに適用される施錠確認支援装置を前記キーケースと施錠確認支援用電子装置とで構成した。そして、施錠確認支援用電子装置を、前記キーケースの開閉を検出して開信号と閉信号をそれぞれ発生させるキーケース開閉センサと、前記閉信号が発生したときにその時刻を確認時刻としてデータ記憶部に記憶し且つ確認信号が入力されたときには前記データ記憶部に記憶されている確認時刻を読み出して表示器に表示させる電子時計と、これら構成部品を収納し且つ前記キーケースに固定される専用のプラスチック製カード型ケースとで構成した。
【００１２】
また、上記第２の課題を解決するために、二つ折り型や三つ折り型キーケースに適用される施錠確認支援装置を前記キーケースと施錠確認支援用電子装置とで構成し、前記施錠確認支援用電子装置に設定された予定施錠時刻から余裕時間を経過した時にアラームを発生させる機能を付加した。即ち、前記施錠確認支援用電子装置を、前記キーケースの開閉を検出して開信号と閉信号をそれぞれ発生させるキーケース開閉センサと、前記閉信号が発生したときにその時刻を確認時刻としてデータ記憶部に記憶し且つ確認信号が入力されたときには前記データ記憶部に記憶されている確認時刻を読み出して表示器に表示させる電子時計と、これら構成部品を収納し且つ前記キーケースに固定される専用のプラスチック製カード型ケースとで構成すると共に、前記電子時計に電子アラームを備え、設定された予定施錠時刻から余裕時間を経過した時に前記アラームを作動させるようにした。
【発明の効果】
【００１３】
本発明により、キー出し入れセンサとして機能するキーケース開閉センサの構造が簡単になり、且つ、このキーケース開閉センサと電子時計を専用のプラスチック製ケースに組み付けてキーケースとは別体のものとしたので、二つ折り型や三つ折り型キーケースに適用される施錠確認支援用電子装置の製造コストが大幅に低減できた。
また、施錠確認支援用電子装置をキーケースとは別体のものとしたので、適用される側のキーケースに表示用窓と操作ボタン用貫通穴を開けるなどの特別な加工を施す必要がなくなった。従って、複数のキーを保持する二つ折り型又は三つ折り型キーケースやカードキー用キーケースであって、既存の多種多様なデザインのキーケースにも簡単に取付けられる低価格の施錠確認支援装置が提供できた。
更にまた、本発明により、施錠し忘れアラームを発生させる機能を備えた施錠確認支援装置が提供できた。
【発明を実施するための最良の形態】
【００１４】
本発明は、複数のキーを携帯するのに最適の定期券入れサイズの二つ折り型又は三つ折り型キーケースと前記ケーケースに配置された施錠確認支援用電子装置とで構成された施錠確認支援装置であって、前記施錠確認支援用電子装置は前記キーケースの開閉を検出して開信号と閉信号をそれぞれ発生させるキーケース開閉センサと、前記閉信号が発生したときにその時刻を確認時刻としてデータ記憶部に記憶し且つ確認信号が入力されたときには前記データ記憶部に記憶されている確認時刻を読み出して表示器に表示させる電子時計と、これら構成部品を収納し且つ前記キーケースに固定される専用のプラスチック製カード型ケースとで構成したことを特徴とするものである。
【実施例１】
【００１５】
本発明の施錠確認支援装置の実施例１は、図１と図２の斜視図に示す如く、キー保持部２ａと内蓋部２ｂと外蓋部２ｃとからなる三つ折り型キーケース２と、キーケース２に装着された施錠確認支援用電子装置１とで構成されたものである。キー保持部２ａには、複数のナス環の如きキーホルダー２ｅが取付けられた金属製キーホルダー取付け部２ｄが固着されている。三つ折り型キーケース２には、施錠時と解施時以外は開かれないような蓋止め手段が備えている。この蓋止め手段は、例えば、市販の二つ折り型キーケースや三つ折り型キーケースに採用されているボタン止め、バンド止め、面ファスナー止めがある。
【００１６】
プラスチック製カード型ケース３は、保護蓋３ａが本体にヒンジ付けされたものであって、前記三つ折り型キーケース２の内蓋部２ｂに固着されるものである。保護蓋３ａは、キーホルダー２ｅに保持されたキーが施錠確認支援用電子装置１の液晶表示器１７を傷つけないようにすると共に、後述する如くキーケース開閉センサ４の操作部としても機能するものである。保護蓋３ａのプラスチック製カード型ケース３の本体へのヒンジ付けは、保護蓋３ａとプラスチック製カード型ケース３の本体を一体にプラスチック成型することによって簡単に実現される。
【００１７】
施錠確認支援用電子装置１は、図３のブロック回路図に示す通り、電子時計１０とキーケース開閉センサ４がプラスチック製カード型ケース３に組み付けられて構成されたものである。電子時計１０は、プログラムに従って各種の演算と制御を行うＣＰＵの如き制御部１１、時刻を計時する計時部１２、前記プログラムが記憶されたＲＯＭの如きプログラム記憶部１３、施錠確認時刻などのデータが記憶されるＲＡＭの如きデータ記憶部１４、時刻設定ボタン１５、機能ボタン１６、液晶表示器１７、ブザー１８、及び施錠確認時刻を確認するための確認ボタン５とで構成されている。電子時計１０などに電力を供給する電池は、プラスチック製カード型ケース３内に形成されている電池収納部に収納される。前記電池収納部の電池蓋３ｂは、プラスチック製カード型ケース３の側面に形成されている。ブザー１８は、キーケースの閉じ忘れを防止するために、キーケース２が開かれている間は電子音を発生し続けるように制御部１１によって制御される。
【００１８】
キーケース開閉センサ４は、検出ピンを備えた機械的スイッチやメンブレンスイッチの如き簡単な構造のセンサである。それ故、従来の複雑な構造のキー出し入れセンサに比較すると、プラスチック製カード型ケース３にキーケース開閉センサ４を組み付けることは極めて容易である。
【００１９】
本発明においては、電子時計１０の時刻設定ボタン１５、機能ボタン１６、液晶表示器１７、ブザー１８、及び確認ボタン５をプラスチック製カード型ケース３に組み付けることは、従来の施錠確認支援装置と比較すると格段に容易である。キーケース２の内蓋部２ｂの一部に表示用窓と操作ボタン用貫通穴を開ける加工が不要であるからである。
【００２０】
実施例１の施錠確認支援用電子装置１の処理の流れは図４の如くである。利用者が三つ折り型キーケース２を開けると、プラスチック製カード型ケース３の保護蓋３ａはプラスチックの弾性により本体から離れる。すると、保護蓋３ａによって押圧されていたキーケース開閉センサ４の操作端は開放され、キーケース開閉センサ４はキーケース２が開かれたことを表す開信号を発生する。すると、制御部１１は開信号の発生を検出し（１０１）、続いて制御部１１は確認信号の発生を検出し（１０２）、データ記憶部１４に記憶されている前回の施錠確認時刻を読み出し、液晶表示器１７に前回の施錠確認時刻を表示する（１０３）。表示された前回の施錠確認時刻を見て、利用者は施錠確認ができる。
【００２１】
利用者が三つ折り型キーケース２を閉めると、プラスチック製カード型ケース３の保護蓋３ａは本体に当接して合わさる。すると、保護蓋３ａはキーケース開閉センサ４の操作端を押圧し、キーケース開閉センサ４はキーケース２が閉じられたことを表す閉信号を発生する。すると、制御部１１は閉信号の発生を検出し（１０４）、開信号が発生してから閉信号の発生までの経過時間を算出し（１０５）、前記経過時間が所定時間、例えば３０秒以内か否かを判定する（１０６）。ステップ１０６の判定結果がＹＥＳならば、制御部１１は現在時刻を施錠確認時刻としてデータ記憶部１４に記憶し（１０７）、処理の流れはステップ１０１に戻り、制御部１１は開信号の発生を待つ。なお、ステップ１０１の後に、利用者が確認ボタン５を押さないで三つ折り型キーケース２を閉めると、ステップ１０３を経ないでステップ１０２からステップ１０４に進む処理となる。また、上記所定時間は利用者の施錠所要時間に対応して変更可能である。
【００２２】
ステップ１０６の判定結果がＮＯならば、処理の流れはステップ１０１に戻り、制御部１１は開信号の発生を待つ。この場合は、開信号が発生してから閉信号の発生までの経過時間が所定時間内であったので、利用者は施錠確認を行っただけでキーケース２を閉じたと制御部１１は判定したのである。
【００２３】
なお、実施例１において、施錠確認支援用電子装置１は、そのプラスチック製カード型ケース３の本体の底面を三つ折り型キーケース２の内蓋部２ａの内側面に接着剤等で固着して取付けているが、内蓋部２ａの外側面、外蓋部２ｂの内側面に固着してもよい。また、施錠確認支援用電子装置１は、そのプラスチック製カード型ケース３の保護蓋２ａの外側面を三つ折り型キーケース２の内蓋部２ａの内側面や外側面、或いは外蓋部２ｂの内側面に固着して取付けることもできる。接着剤を使わないで、バンドや袋状係止部をキーケース２の内蓋部２ａや外蓋部２ｂに設けて、これによって固着することも可能である。
【００２４】
ところで、前記確認信号は利用者が確認ボタン５を操作することによって発生し制御部１１に入力されるものであるが、キーケース開閉センサ４の開信号を確認信号とすることも可能である。この場合には、キーケース２を開けると直ちに前回の施錠確認時刻が液晶表示器１７に表示されることになるから、実施例１の施錠確認支援用電子装置１の処理の流れは図４のフローチャートと少し異なることになる。
【実施例２】
【００２５】
本発明の施錠確認支援装置の実施例２は、実施例１の施錠確認支援装置に施錠し忘れアラーム機能を付加したものである。即ち、図１、図２及び図３に示す如く、キーケース２と施錠確認支援用電子装置１とで構成された施錠確認支援装置であって、施錠確認支援用電子装置１をキーケース２の開閉を検出して開信号と閉信号をそれぞれ発生させるキーケース開閉センサ４と、前記閉信号が発生したときにその時刻を確認時刻としてデータ記憶部１４に記憶し且つ確認信号が入力されたときにはデータ記憶部１４に記憶されている確認時刻を読み出して液晶表示器１７に表示させる電子時計１０と、これら構成部品を収納し且つキーケース２に固定されるプラスチック製カード型ケース３とで構成し、更に、施錠し忘れアラーム機能を付加したものである。
【００２６】
施錠し忘れアラーム機能を備えた実施例２の施錠確認支援用電子装置１の処理の流れは図５の如くである。施錠確認支援用電子装置１において、電子時計１０の制御部１１は施錠予定時刻に到達したか否かを検出している（２０１）。制御部１１は、施錠予定時刻に到達したことを検出すると、施錠予定時刻からの経過時間をカウントする（２０２）。制御部１１は、ステップ１０３で経過時間のカウント値が余裕時間、例えば１０分間に到達したことを検出した場合には電子時計１０のブザー１８を駆動して施錠し忘れアラームを発生させる（２１１）。この施錠し忘れアラームを聞いて、利用者は施錠していないことを思い出すことができる。
【００２７】
本発明における施錠し忘れアラームは、施錠予定時刻でなく、施錠予定時刻から余裕時間が経過した時に発生するものである。従って、施錠のし忘れは滅多に起きないので、利用者が施錠し忘れアラームに煩わされることはありえない。なお、余裕時間は利用者の行動に対応して定められるもので、上述の１０分間でなく、２０分間や３０分間とすることも可能である。余裕時間の変更は、機能ボタン１６と時刻設定ボタン１５を操作して行われる。
【００２８】
ステップ２０３の判定結果がＮＯの場合、即ち、利用者が施錠予定時刻から余裕時間内にキーケース２を開いたときは、制御部１１は開信号を検出し（２０４）、続いてステップ２０５で確認信号の入力の有無を判定する。制御部１１は確認信号の発生を検出すると（２０５）データ記憶部１４に記憶されている前回の施錠確認時刻を読み出し、液晶表示器１７に前回の施錠確認時刻を表示する（２０６）。表示された前回の施錠確認時刻を見て、利用者は施錠確認ができる。
【００２９】
利用者が三つ折り型キーケース２を閉めると、キーケース開閉センサ４はキーケース２が閉じられたことを表す閉信号を発生する。すると、制御部１１は閉信号の発生を検出し（２０７）、開信号が発生してから閉信号の発生までの経過時間を算出し（２０８）、前記経過時間が所定時間、例えば３０秒以内か否かを判定する（２０９）。ステップ２０９の判定結果がＹＥＳならば、制御部１１は現在時刻を施錠確認時刻としてデータ記憶部１４に記憶し（２１０）、処理の流れはステップ２０１に戻る。なお、ステップ２０４の後に、利用者が確認ボタン５を押さないで三つ折り型キーケース２を閉めると、ステップ２０６を経ないでステップ２０５からステップ２０７に進む処理となる。なお、上記所定時間は利用者の施錠所要時間に対応して変更可能である。
【００３０】
ステップ２０９の判定結果がＮＯならば、処理の流れはステップ２０１に戻る。開信号が発生してから閉信号の発生までの経過時間が所定時間内であれば、利用者は施錠確認を行っただけでキーケース２を閉じたと制御部１１は判定したのである。
【００３１】
上述した実施例２において、電子時計１０への施錠予定時刻の設定方法は主に２つである。第１の方法は、機能ボタン１６と時刻設定ボタン１５を操作して、利用者が施錠予定時刻を設定する方法である。第２の方法は、データ記憶部１４に記憶されている施錠時刻の履歴を利用して利用者の平均的な施錠時刻を算出し、これを施錠予定時刻として自動的に設定する方法である。ところで、本発明に係る施錠確認支援装置は、施錠と解錠の区別ができないものである。そこで、上述の利用者の平均的な施錠時刻の算出は、平均値算出に利用する施錠時刻の履歴を一定時間帯に含まれているものを選んで行う。利用者は、朝、昼、夕、夜等の設定された時間帯を指定するだけで、制御部１１はプログラムに従って施錠予定時刻を施錠確認時刻の履歴を利用して算出し、自動的に設定することができる。当然ながら、施錠時刻が余裕時間、例えば１０分間を超えることが頻繁にあるような場合には、この第２の施錠時刻の設定方法は利用できない。
【図面の簡単な説明】
【００３２】
【図１】施錠確認支援用電子装置と三つ折り型キーケースとで構成された施錠確認支援装置の一実施例の斜視図である。
【図２】施錠確認支援用電子装置の一実施例の斜視図である。
【図３】施錠確認支援用電子装置の一実施例のブロック回路図である。
【図４】実施例１の施錠確認支援用電子装置の処理の流れを示したフローチャートである。
【図５】実施例２の施錠確認支援用電子装置の処理の流れを示したフローチャートである。
【符号の説明】
【００３３】
１  施錠確認支援用電子装置
２  三つ折り型キーケース
２ａ  キー保持部
２ｂ  内蓋部
２ｃ  外蓋部
２ｄ  キーホルダー取付け部
２ｅ  キーホルダー
３  プラスチック製カード型ケース
３ａ  電池蓋
４  キーケース開閉センサ
５  確認ボタン
１０  電子時計
１１  制御部
１２  計時部
１３  プログラム記憶部
１４  データ記憶部
１５  時刻設定ボタン
１６  機能ボタン
１７  液晶表示器
１８  ブザー
【図１】
2007002623.tif 000003
【図２】
2007002623.tif 000004
【図３】
2007002623.tif 000005
【図４】
2007002623.tif 000006
【図５】
2007002623.tif 000007
【手続補正書】
【提出日】平成18年8月12日(2006.8.12)
【手続補正１】
【補正対象書類名】明細書
【補正対象項目名】００１３
【補正方法】変更
【補正の内容】
【００１３】
本発明により、キー出し入れセンサとして機能するキーケース開閉センサの構造が簡単になり、且つ、このキーケース開閉センサと電子時計を専用のプラスチック製ケースに組み付けてキーケースとは別体のものとしたので、二つ折り型や三つ折り型キーケースに適用される施錠確認支援用電子装置の製造コストが大幅に低減できた。
また、施錠確認支援用電子装置をキーケースとは別体のものとしたので、適用される側のキーケースに表示用窓と操作ボタン用貫通穴を開けるなどの特別な加工を施す必要がなくなった。従って、複数のキーを保持する二つ折り型又は三つ折り型キーケースやカードキー用キーケースであって、既存の多種多様なデザインのキーケースにも簡単に取付けられる低価格の施錠確認支援装置が提供できた。
また、キーケースを閉じているときは液晶表示器の時刻表示機能を停止できるから、省電力化を図り、電池寿命を延ばすことができた。
更にまた、本発明により、施錠し忘れアラームを発生させる機能を備えた施錠確認支援装置が提供できた。